(57)【特許請求の範囲】
【請求項１】
水処理施設で使用される薬品等の液体が貯蔵される温度測定手段を備えた液体貯蔵槽から冷却液流路に流出した液体を熱交換器で冷却し前記液体貯蔵槽に還流させることで前記液体貯蔵槽の液体の液温を維持管理する液体の冷却システムにおいて、
１台の前記熱交換器に対し複数の前記液体貯蔵槽を配設し、
前記液体貯蔵槽は、前記熱交換器で冷却させるため前記冷却液流路に流出する液体を制御する流出制御弁と、前記熱交換器で冷却された前記冷却液流路の液体の流入を制御する流入制御弁とを各々備え、
前記流出制御弁が開放され液体の冷却を開始させるときの前記温度測定手段にて測定される前記液体貯蔵槽の液体の液温Ｔ１と、前記流入制御弁が閉塞され液体の冷却を停止させるときの前記液体貯蔵槽の液体の液温Ｔ２との関係を、
Ｔ１＞Ｔ２，且つＴ１≦２５℃  
となるように設定し、
一の前記液体貯蔵槽の液体の液温が設定値の液温Ｔ１に到達したときに冷却を開始し、
一の前記液体貯蔵槽の液体の液温が設定値の液温Ｔ２に到達するか若しくは他の前記液体貯蔵槽の液体の液温が設定値の液温Ｔ１に到達したときのいずれか早いとき、または一の前記液体貯蔵槽の液体の液温が設定値の液温Ｔ１に到達し冷却を開始してから所定時間経過後若しくは他の前記液体貯蔵槽の液体の液温が設定値の液温Ｔ１に到達したときのいずれか早いとき、一の前記液体貯蔵槽の液体の冷却を停止することで前記液体貯蔵槽の液体を断続的に冷却し、１台の熱交換器で複数の前記液体貯蔵槽の液体の液温を維持管理することを特徴とする液体の冷却システム。
【請求項２】
請求項１に記載の液体の冷却システムにおいて、
液温Ｔ１が前記液体貯蔵槽の液体の上層部の液温であることを特徴とする液体の冷却システム。
【請求項３】
請求項１に記載の液体の冷却システムにおいて、
液温Ｔ２が前記温度測定手段にて測定される前記液体貯蔵槽の液体の下層部の液温若しくは前記冷却流路に配設されている温度測定手段にて測定される前記液体貯蔵槽から流出した前記冷却流路の液体の液温であることを特徴とする液体の冷却システム。
【請求項４】
請求項１に記載の液体の冷却システムにおいて、
液温Ｔ１が前記液体貯蔵槽の液体の上層部の液温であり、液温Ｔ２が前記液体貯蔵槽の下側に配設されている温度測定手段にて測定される液体の下層部の液温若しくは前記冷却流路に配設されている温度測定手段により測定される前記液体貯蔵槽から流出した前記冷却流路の液体の液温であることを特徴とする液体の冷却システム。
【請求項５】
請求項１乃至４のいずれかに記載の液体の冷却システムにおいて、
前記液体貯蔵槽に貯蔵される液体が次亜塩素酸ナトリウム若しくは重合ケイ酸と金属塩を主体とする水処理用凝集剤であることを特徴とする液体の冷却システム。
【発明の詳細な説明】
【技術分野】
【０００１】
本発明は、液体貯蔵槽に貯蔵されている水処理施設で使用される薬品等の液体の液温を維持管理する液体の冷却システムに関し、更に詳しくは、水処理施設で使用される薬品等の液体が貯蔵されている液体貯蔵槽から冷却液流路に流出した薬品等の液体を熱交換器で冷却し液体貯蔵槽に還流させることで液体貯蔵槽の薬品等の液体の液温を維持管理する液体の冷却システムに関する。
【背景技術】
【０００２】
水道水を消毒するために使用される次亜塩素酸ナトリウムには人体に影響を及ぼす塩素酸が含まれているので、塩素酸の濃度を低く抑えることが課題となっている。次亜塩素酸ナトリウムに含まれる塩素酸の濃度は、貯蔵期間が長くなるに従い高くなるが、貯蔵時に次亜塩素酸ナトリウムの液温を２０℃以下で維持管理すると増加率を低く抑えることが広く知られており、次亜塩素酸ナトリウムを所定の一定温度で維持管理する試みが始められている。
【０００３】
従来、液体の次亜塩素酸ナトリウムを所定の一定温度で維持管理する冷却システムとして、次亜塩素酸ナトリウムが貯蔵されている液体貯蔵槽が屋内に設置されているときは、その屋内の温度を空調機により低下させ次亜塩素酸ナトリウムを所定の一定温度に維持管理することが行われている。しかし、次亜塩素酸ナトリウムを冷却するために室内まで冷却するので、冷却するための運転コストが高くなる不具合があった。
【０００４】
また別の冷却システムとして、図６に示すように、液体貯蔵槽１０１の壁部１０２を熱伝導率が高いチタン材等の材料で成形し、その外周を帯状の熱交換器１０３で被覆し、熱交換器１０３を冷却機１０４で冷却することで液体貯蔵槽１０１の内部に貯蔵されている次亜塩素酸ナトリウムを所定の一定温度に維持管理することが行われている。しかし、液体貯蔵槽１０１の壁部１０２が厚いので熱交換率が悪く、しかも壁部１０２には図示されていない配管等が配設されていることによる凹凸が存在するため熱交換器１０３を密着させて壁部１０２全体を被覆し効率的に冷却するのは困難であった。
【０００５】
更に別の冷却システムとして、図７に示すように、液体貯蔵槽１０１から流出した冷却液流路１１１Ａの次亜塩素酸ナトリウムを冷却機１０４で冷却された熱交換器１０３で冷却し、冷却された冷却液流路１１１Ｂの次亜塩素酸ナトリウムを液体貯蔵槽１０１に還流させることで、液体貯蔵槽１０１の次亜塩素酸ナトリウムを所定の一定温度に維持管理することが行われている。この方式だと、液体貯蔵槽１０１の下部に配設されている温度計１１４で次亜塩素酸ナトリウムの液温を監視し、次亜塩素酸ナトリウムを所定の一定温度に維持管理できるように常時冷却液流路１１１との間で循環させているので、運転コストが高くなる不具合があった。
【０００６】
また、図８に示すように、次亜塩素酸ナトリウムは浄水場等の水道水の消毒に使用することを目的に貯蔵されているので、次亜塩素酸ナトリウムを貯蔵する液体貯蔵槽１０１は、予備のものも含め通常２台以上設置される。この場合、液体貯蔵槽１０１に貯蔵されている次亜塩素酸ナトリウムは、上述の通り冷却液流路１１１との間で常時循環しているので、各液体貯蔵槽１０１に１台の熱交換器１０３を設置する必要があり、設備費が増加する不具合があった。
【０００７】
これに対し、設備費の増加を抑制するため、図９に示すように、２台の液体貯蔵槽（１０１Ａ，１０１Ｂ）を冷却液流路１１１で並列に接続し、２台の液体貯蔵槽（１０１Ａ，１０１Ｂ）から同時に冷却液流路１１１に流出してきた次亜塩素酸ナトリウムを１台の熱交換器１０３で冷却し、両方の液体貯蔵槽（１０１Ａ，１０１Ｂ）に同時に還流させることが行われている（下記特許文献１参照）。しかし、この場合、２台の液体貯蔵槽（１０１Ａ，１０１Ｂ）の次亜塩素酸ナトリウムの液温を均一に同時に冷却するよう流量制御が必要であるため、運転コストが高くなる不具合があった。更に、２台の液体貯蔵槽（１０１Ａ，１０１Ｂ）の次亜塩素酸ナトリウムが混合されることで貯蔵期間が長期化し、しかも２台の液体貯蔵槽（１０１Ａ，１０１Ｂ）が連通するので予備槽としての機能が消失する不具合もあった。
【０００８】
また、液体貯蔵槽１０１に設置されている温度計１１４は、貯蔵されている次亜塩素酸ナトリウムの液温を常時監視する必要があるので、次亜塩素酸ナトリウムが常時存在する液体貯蔵槽１０１の下部に配設され下層部の次亜塩素酸ナトリウムの液温を測定している（図７乃至図９参照）。しかし、次亜塩素酸ナトリウムの液温は、液体貯蔵槽で液体が停滞している場合、図１０に示すように、上層部の方が下層部より上昇速度が速い。従って、温度計で計測している液温は、制御しなければならない液体貯蔵槽の次亜塩素酸ナトリウムの液温より低くなっている傾向が認められた。
【０００９】
更に、凝集剤として使用される重合ケイ酸と金属塩を主体とする水処理用凝集剤（下記特許文献２参照）についても、所定の温度以下で維持管理を行わないとゲル化し凝集剤としての機能を発揮できないので、次亜塩素酸ナトリウムと同様な不具合点を有していた。
【００１０】
【特許文献１】特開昭６０−２２８２８９号
【特許文献２】特開２００８−１２４１７号
【発明の開示】
【発明が解決しようとする課題】
【００１１】
本発明は上述の不具合点を解決するためになされたものであって、その目的とするところは、複数の液体貯蔵槽に貯蔵されている浄水場等の水道水に使用される薬品等の液体、例えば次亜塩素酸ナトリウム・重合ケイ酸と金属塩を主体とする水処理用凝集剤の冷却について、安い設備費と運転コストで、各液体貯蔵槽の液体を混合させることなく品質を維持管理することができる液体の冷却システムを提供することである。
【課題を解決するための手段】
【００１２】
上記目的を達成するため、本発明の請求項１による液体の冷却システムは、浄水場等の水道水に使用される薬品等の液体が貯蔵される温度測定手段を備えた液体貯蔵槽から冷却液流路に流出した液体を熱交換器で冷却し前記液体貯蔵槽に還流させることで前記液体貯蔵槽の液体の液温を維持管理する液体の冷却システムにおいて、１台の前記熱交換器に対し複数の前記液体貯蔵槽を配設し、前記液体貯蔵槽は、前記熱交換器で冷却させるため前記冷却液流路に流出する液体を制御する流出制御弁と、前記熱交換器で冷却された前記冷却液流路の液体の流入を制御する流入制御弁とを各々備え、前記流出制御弁が開放され液体の冷却を開始させるときの前記温度測定手段にて測定される前記液体貯蔵槽の液体の液温Ｔ１と、前記流入制御弁が閉塞され液体の冷却を停止させるときの前記液体貯蔵槽の液体の液温Ｔ２との関係を、
Ｔ１＞Ｔ２，且つＴ１≦２５℃  
となるように設定し、一の前記液体貯蔵槽の液体の液温が設定値の液温Ｔ１に到達したときに冷却を開始し、一の前記液体貯蔵槽の液体の液温が設定値の液温Ｔ２に到達するか若しくは他の前記液体貯蔵槽の液体の液温が設定値の液温Ｔ１に到達したときのいずれか早いとき、または一の前記液体貯蔵槽の液体の液温が設定値の液温Ｔ１に到達し冷却を開始してから所定時間経過後若しくは他の前記液体貯蔵槽の液体の液温が設定値の液温Ｔ１に到達したときのいずれか早いとき、一の前記液体貯蔵槽の液体の冷却を停止することで前記液体貯蔵槽の液体を断続的に冷却し、１台の熱交換器で複数の前記液体貯蔵槽の液体の液温を維持管理することを特徴とするものである。
【００１３】
また、本発明の請求項２による液体の冷却システムは、請求項１に記載の液体の冷却システムにおいて、液温Ｔ１が前記液体貯蔵槽の液体の上層部の液温であることを特徴とするものである。
【００１４】
また、本発明の請求項３による液体の冷却システムは、請求項１に記載の液体の冷却システムにおいて、液温Ｔ２が前記温度測定手段にて測定される前記液体貯蔵槽の液体の下層部の液温若しくは前記冷却流路に配設されている温度測定手段にて測定される前記液体貯蔵槽から流出した前記冷却流路の液体の液温であることを特徴とするものである。
【００１５】
また、本発明の請求項４による液体の冷却システムは、請求項１に記載の液体の冷却システムにおいて、液温Ｔ１が前記液体貯蔵槽の液体の上層部の液温であり、液温Ｔ２が前記液体貯蔵槽の下側に配設されている温度測定手段にて測定される液体の下層部の液温若しくは前記冷却流路に配設されている温度測定手段により測定される前記液体貯蔵槽から流出した前記冷却流路の液体の液温であることを特徴とするものである。
【００１６】
また、本発明の請求項５による液体の冷却システムは、請求項１乃至４のいずれかに記載の液体の冷却システムにおいて、前記液体貯蔵槽に貯蔵される液体が次亜塩素酸ナトリウム若しくは重合ケイ酸と金属塩を主体とする水処理用凝集剤であることを特徴とするものである。
【発明の効果】
【００１７】
上記構成を備えた本発明の液体の冷却システムは、一の液体貯蔵槽の液体が液温Ｔ１に到達すると流出制御弁が開放されて液体の冷却が開始され、液温Ｔ２に到達すると流入制御弁が閉塞されて液体の冷却が停止されるので、液体貯蔵槽の液体を熱交換器で断続的に冷却することができる。従って、一の液体貯蔵槽の液体の冷却を停止している間に、他の液体貯蔵槽の液体を冷却することができ、複数の液体貯蔵槽の液体を混合させることなく１台の熱交換器で個別に冷却することができ、設備費の増加を抑制することができる。
【００１８】
更に、断続的に冷却しても、冷却している一の液体貯蔵槽の液体が液温Ｔ２に到達する前に、他の液体貯蔵槽の液体が液温Ｔ１になると、他の液体貯蔵槽の液体を優先的に冷却するので、液体貯蔵槽の液体を常に液温Ｔ１以下に維持管理することができ、所定の一定温度で維持管理するのと同じ品質を確保することができる。
【００１９】
また、液体貯蔵槽の液体の上層部の液温Ｔ１を監視して流出制御弁を制御すると、液体貯蔵槽の最も高い液温で冷却を開始することができ、液体貯蔵槽の液体の下層部の液温Ｔ２を監視して流入制御弁を制御すると、冷却開始後、液体貯蔵槽の最も高い液温で冷却を停止することができる。
【００２０】
本発明の液体の冷却システムは、大きな容量を有する液体貯蔵槽に貯蔵されている水道水に使用される次亜塩素酸ナトリウム及び重合ケイ酸と金属塩を主体とする水処理用凝集剤を冷却し維持管理するのに好適である。
【発明を実施するための最良の形態】
【００２１】
以下に図面を参照して、この発明の好適な実施の形態を例示して説明する。ただし、この発明の範囲は、特に限定的記載がない限り、この実施の形態に記載されている内容に限定する趣旨のものではない。
【００２２】
図１は、本発明に係る液体の冷却システムの説明図である。
【００２３】
本発明に係る液体の冷却システムは、２台の液体貯蔵槽１０と、熱交換器２０と、冷却機３０と、循環ポンプ４０と、冷却液流路５０とから構成されている。
【００２４】
液体貯蔵槽１０は、２台（１０Ａ，１０Ｂ）共に同じであり、各液体貯蔵槽（１０Ａ，１０Ｂ）は、流出制御弁（１１Ａ，１１Ｂ）と、流入制御弁（１２Ａ，１２Ｂ）と、温度計（１３Ａ，１３Ｂ）とを備えている。
【００２５】
温度計１３は、液体貯蔵槽１０に貯蔵されている液体の液温を測定できるものであって、レーザー式温度計、フロート式温度計、赤外線式温度計等が用いられる。
【００２６】
流出制御弁１１及び流入制御弁１２は、温度制御と時間制御との両方で制御することが可能な制御弁で、各液体貯蔵槽１０に各１個づつ配設されていて、２台の液体貯蔵槽（１０Ａ，１０Ｂ）の液体が混合しないように、一の液体貯蔵槽１０Ａの流出制御弁１１Ａ及び流入制御弁１２Ａが開放される前に、他の液体貯蔵槽１０Ｂの流出制御弁１１Ｂ及び流入制御弁１２Ｂが閉塞するようになっている。更に、流出制御弁１１が閉塞したあと所定時間経過後に流入制御弁１２が閉塞するようになっている。
【００２７】
冷却液流路５０には、流出制御弁１１から熱交換器２０までの間に、流出制御弁１１から冷却液流路５０に流出した液体を熱交換器２０を経由し流入制御弁１２から液体貯蔵槽１０に還流させる循環ポンプ４０と、液体貯蔵槽１０の液体の下層部の液温を測定するために液体貯蔵槽１０から流出した直後の液体の液温を測定する流路内温度計１４が配設されている。
【００２８】
次に、上記構成の液体の冷却システムで、２台の液体貯蔵槽（１０Ａ，１０Ｂ）に貯蔵されている液体を１台の熱交換器２０で冷却する場合について説明する。液体貯蔵槽（１０Ａ，１０Ｂ）毎に配設されている温度計（１３Ａ，１３Ｂ）により測定された一の液体貯蔵槽１０Ａの液体の上層部の液温が設定値の液温Ｔ１に到達すると、一の液体貯蔵槽１０Ａの流出制御弁１１Ａ及び流入制御弁１２Ａが開放されるが、他の液体貯蔵槽１０Ｂの流出制御弁１１Ｂ及び流入制御弁１２Ｂは閉塞されたままである。この状態で、循環ポンプ４０が始動し、一の液体貯蔵槽１０Ａの流出制御弁１１Ａから冷却液流路５０に流出した液体は、循環ポンプ４０の圧力で冷却機３０により冷却された熱交換器２０に送られて冷却された後、流入制御弁１２Ａから一の液体貯蔵槽１０Ａに還流され、一の液体貯蔵槽１０Ａの液体の液温が設定値の液温Ｔ１より徐々に低下し、流路内温度計１４で測定された一の液体貯蔵槽１０Ａの液体の下層部の液温が設定値の液温Ｔ２に到達したとき、若しくは他の液体貯蔵槽１０Ｂに配設されている温度計１３Ｂにより測定された他の液体貯蔵槽１０Ｂの上層部の液体の液温が設定値の液温Ｔ１に到達したときのいずれか早いとき循環ポンプ４０が停止し、次いで、一の液体貯蔵槽１０Ａの流入制御弁１２Ａ及び流出制御弁１１Ａが閉塞され、一の液体貯蔵槽１０Ａの液体の冷却が停止する。次いで同様に、他の液体貯蔵槽１０Ｂに配設されている温度計１３Ｂにより測定された他の液体貯蔵槽１０Ｂの上層部の液体の液温が設定値の液温Ｔ１に到達すると、他の液体貯蔵槽１０Ｂの流出制御弁１１Ｂ及び流入制御弁１２Ｂが開放されるが、一の液体貯蔵槽１０Ａの流出制御弁１１Ａ及び流入制御弁１２Ａは閉塞されたままである。この状態で、循環ポンプ４０が始動し、他の液体貯蔵槽１０Ｂから冷却液流路５０に流出した液体は、循環ポンプ４０の圧力で冷却機３０により冷却された熱交換器２０に送られて冷却された後、流入制御弁１２Ｂから他の液体貯蔵槽１０Ｂに還流され、他の液体貯蔵槽１０Ｂの液体の液温が設定値の液温Ｔ１より徐々に低下し、流路内温度計１４で測定された他の液体貯蔵槽１０Ｂの液体の下層部の液温が設定値の液温Ｔ２に達したとき、若しくは一の液体貯蔵槽１０Ａの上層部の液体の液温が設定値の液温Ｔ１に達したときのいずれか早いときに循環ポンプ４０が停止され、次いで、他の液体貯蔵槽１０Ｂの流入制御弁１２Ｂ及び流出制御弁１１Ｂが閉塞され、他の液体貯蔵槽１０Ｂの液体の冷却が停止する。次いで、また元に戻り、２台の液体貯蔵槽（１０Ａ，１０Ｂ）の液体が、順次に冷却されることが繰り返される。
【００２９】
尚、上述の説明では、循環ポンプ４０の停止、並びに流出制御弁１１及び流入制御弁１２を閉塞させる場合について、一の液体貯蔵槽１０Ａの液体の液温が設定値の液温Ｔ２に達したとき、若しくは他の液体貯蔵槽１０Ｂの液体の液温が設定値の液温Ｔ１に達したときのいずれか早いときの場合について説明したが、一の液体貯蔵槽１０Ａの液体の冷却を開始してから一の液体貯蔵槽１０Ａの満杯時の液体を液温Ｔ１から液温Ｔ２まで冷却するのに要する時間相当の一定時間経過後、若しくは他の液体貯蔵槽１０Ｂの液体の液温が設定値の液温Ｔ１に達したときのいずれか早いときとなるように、設定しても良い。
【００３０】
また、循環ポンプ４０の停止、並びに流出制御弁１１及び流入制御弁１２を閉塞させるときの液温Ｔ２について、液体貯蔵槽１０から流出した直後の液体を冷却液流路５０に配設されている流路内温度計１４で測定した場合で説明したが、液体貯蔵槽１０の下部に配設された温度計１３で測定した液温としても良い。
【００３１】
尚、空になった一の液体貯蔵槽１０Ａに液体を補充する場合、輸送中に液体の液温が上昇しているので補充後は直ちに冷却する必要があり、その為、補充前には他の液体貯蔵槽１０Ｂに貯蔵されている液体を十分冷却しておくのが好ましい。
【００３２】
また、上述の説明では、液体貯蔵槽が２台の場合について説明したが、３台の場合についても同様の方法により実施できることは言うまでもない。
【００３３】
尚、流出制御弁１１を開放し液体貯蔵槽１０の液体の冷却を開始するときの液温Ｔ１は、液体貯蔵槽の中で最も高い部位の液温がＴ１≦２５℃となるように設定するのが良く、より好適にはＴ１≦２２℃となるように設定するのが望ましい。また、流入制御弁１２を閉塞し液体貯蔵槽１０の液体の冷却を停止するときの液温Ｔ２は、液体貯蔵槽の中で最も高い部位の液温が液体貯蔵槽の液体が凍結しない程度の低い温度に設定するのが良く、電気代等の運転コストを考えるとＴ２≦２０℃、より好適にはＴ２≦１８℃となるように設定するのが望ましい。
【００３４】
以上の通り、本発明に係る液体の冷却システムは、一の液体貯蔵槽１０Ａの液体が液温Ｔ１に到達すると流出制御弁１１Ａ及び流入制御弁１２Ａが開放されて液体の冷却が開始され、液温Ｔ２に到達すると流出制御弁１１Ａ及び流入制御弁１２Ａが閉塞されて液体の冷却が停止されるので、液体貯蔵槽１０の液体を断続的に冷却することが可能となる。従って、一の液体貯蔵槽１０Ａの液体の冷却を停止している間に、他の液体貯蔵槽１０Ｂの液体を冷却することができ、複数の液体貯蔵槽１０の液体を混合させることなく１台の熱交換器２０で個別に冷却することができ、熱交換器２０の増設を抑制することが可能となる。
【００３５】
更に、断続的に冷却しても、冷却している一の液体貯蔵槽１０Ａの液体が液温Ｔ２に到達する前に、他の液体貯蔵槽１０Ｂの液体が液温Ｔ１になると、他の液体貯蔵槽１０Ｂの液体を優先的に冷却するので、液体貯蔵槽１０の液体を常に液温Ｔ１以下に維持管理することができ、次亜塩素酸ナトリウムに含まれる塩素酸の濃度の増加率を所定の一定温度で維持管理するのと同レベルで管理することが可能となる。
【００３６】
また、液体貯蔵槽１０の液体の上層部の液温Ｔ１を監視して流出制御弁１１及び流入制御弁１２を開放すると、液体貯蔵槽１０の液体は放置されている間に上層部が最も高くなるので、液体貯蔵槽１０の中で最も高い部位の液温が設定値の液温Ｔ１に到達したときに冷却を開始することが可能となり、次亜塩素酸ナトリウムに含まれる塩素酸の濃度の増加率を効果的に抑制することが可能となる。尚、循環ポンプ４０の停止、並びに流出制御弁１１及び流入制御弁１２を閉塞させるときの液温Ｔ２を液体の上層部の液温とすると、流入制御弁１２から流入した熱交換器２０で冷却された冷却液流路５０の液体の液温を測定したことになるので、妥当ではない。
【００３７】
また、液体貯蔵槽１０の液体の下層部の液温Ｔ２を監視して流入制御弁１２及び流出制御弁１１を制御すると、冷却された液体は上層部より徐々に下層部に移行するので、液体貯蔵槽１０の中で最も高い部位の液温が設定値の液温Ｔ２に到達したときに冷却を停止することが可能となる。尚、この場合に、循環ポンプ４０の始動、並びに流出制御弁１１及び流入制御弁１２を開放させるときの液温Ｔ１について、液体貯蔵槽１０の上層部の液温と下層部の液温との温度差を考慮し、下部に配設されている温度計１３で測定された液温で制御しても良く、このようにすることで、温度計１３を１台の液体貯蔵槽に２個配設するのを防止することが可能となる。
【００３８】
なお、流出制御弁１１及び流入制御弁１２は、２台の液体貯蔵槽（１０Ａ，１０Ｂ）の液体が混合しないように、一の液体貯蔵槽１０Ａの流出制御弁１１Ａ及び流入制御弁１２Ａが開放される前に、他の液体貯蔵槽１０Ｂの流出制御弁１１Ｂ及び流入制御弁１２Ｂが閉塞するよう制御するのが好ましいが、品質を確保できる範囲であれば、一の液体貯蔵槽１０Ａの流出制御弁１１Ａ及び流入制御弁１２Ａの開放と、他の液体貯蔵槽１０Ｂの流出制御弁１１Ｂ及び流入制御弁１２Ｂの閉塞が同時でも良く、また、一の液体貯蔵槽１０Ａの流出制御弁１１Ａ及び流入制御弁１２Ａが開放された後に、他の液体貯蔵槽１０Ｂの流出制御弁１１Ｂ及び流入制御弁１２Ｂが閉塞しても良い。更に、流出制御弁１１が閉塞したあと所定時間経過後に流入制御弁１２が閉塞するのが好ましいが、流出制御弁１１の閉塞と流入制御弁１２の閉塞は、同時でも良い。
【００３９】
以下、本発明について具体的実施例により説明する。
【００４０】
実施例１：
本発明の液体の冷却システムで水道用次亜塩素酸ナトリウムを冷却した場合について、従来の液体の冷却システムで冷却した場合と比較するための実験を行った。実験内容は、図２の通りである。
【００４１】
その結果、図３に示す経過日数の増加と共に増加する塩素酸濃度の増加率については、液温を１８〜２２℃の範囲で管理した場合（実施例１）は、液温を２０℃一定で管理した場合（比較例１）と同レベルであり、液温を１５〜２５℃の範囲で管理した場合（実施例２）は、２０℃一定で管理した場合（比較例１）より、僅かに高いレベルであったが、２５℃一定で管理した場合（比較例２）より低いレベルであった。また、図４に示す経過日数の増加と共に減少する有効塩素濃度の減少率については、液温を１８〜２２℃の範囲で管理した場合（実施例１）は、液温を２０℃一定で管理した場合（比較例１）と同レベルであり、液温を１５〜２５℃の範囲で管理した場合（実施例２）は、２０℃一定で管理した場合（比較例１）より、僅かに低いレベルであったが、２５℃一定で管理した場合（比較例２）より高いレベルであった。
【００４２】
実施例２：
本発明の液体の冷却システムで重合ケイ酸と金属塩を主体とする水処理用凝集剤を冷却した場合について、従来の液体の冷却システムで冷却した場合と比較するための実験を行った。
【００４３】
その結果、図５に示す通り、液温を１８〜２２℃の範囲で管理した場合（実施例１）は、液温を２０℃一定で管理した場合（比較例１）とゲル化（凝固剤としての機能がなくなる状態）するまでの経過日数は同レベルであり、液温を１５〜２５℃の範囲で管理した場合（実施例２）は、液温を２０℃一定で管理した場合（比較例１）とゲル化するまでの経過日数は、僅かに短いレベルであった。
【図面の簡単な説明】
【００４４】
【図１】本発明に係る液体の冷却システムの説明図である。
【図２】本発明を確認するための実施例１の内容説明表である。
【図３】実施例１の実施例及び比較例における塩素酸濃度の経時変化のグラフである。
【図４】実施例１の実施例及び比較例における有効塩素濃度の経時変化のグラフである。
【図５】実施例２の実施例及び比較例におけるゲル化の発生確認表である。
【図６】従来例１における液体の冷却システムの説明図である。
【図７】従来例２における液体の冷却システムの説明図である。
【図８】従来例３における液体の冷却システムの説明図である。
【図９】従来例４における液体の冷却システムの説明図である。
【図１０】液体貯蔵槽の液体を滞留させた場合の測定位置における液温の経時変化のグラフである。
【符号の説明】
【００４５】
１    液体の冷却システム
１０  液体貯蔵槽
１１  流出制御弁
１２  流入制御弁
１３  温度計（温度測定手段）
１４  流路内温度計（流路内温度測定手段）
２０  熱交換器
３０  冷却機
４０  循環ポンプ
５０  冷却液流路
【図１】
0004841583.tif 000002
【図２】
0004841583.tif 000003
【図３】
0004841583.tif 000004
【図４】
0004841583.tif 000005
【図５】
0004841583.tif 000006
【図６】
0004841583.tif 000007
【図７】
0004841583.tif 000008
【図８】
0004841583.tif 000009
【図９】
0004841583.tif 000010
【図１０】
0004841583.tif 000011